(57)【要約】【課題】  より簡易な構成で所望の冷却対象への冷却媒体の提供量を変化させることが可能な冷却媒体提供装置等を提供すること。【解決手段】  冷却媒体提供装置１８０が、ＤＣ−ＤＣ変換回路１１４に関する電流に応じて第１の電磁力が変化する電磁石１２１と、第１の電磁力に応じて、提供部材１２４が変形することにより、ＤＣ−ＤＣ変換回路１１４に対する冷却媒体の提供量と、ＡＣ−ＤＣ変換回路１１２に対する冷却媒体の提供量との割合を変化させる冷却ファン１５０を含んで構成される。【選択図】  図２
2013114126.tif 000002
【特許請求の範囲】
【請求項１】
第１の冷却対象に関する電流に応じて第１の電磁力が変化する第１の電磁部と、
前記第１の電磁力に応じて、冷却媒体の提供部材が変形し、あるいは、前記提供部材が移動することにより、前記第１の冷却対象に対する前記冷却媒体の提供量と、第２の冷却対象に対する前記冷却媒体の提供量との割合を変化させる冷却媒体提供部と、
を含む冷却媒体提供装置。
【請求項２】
請求項１に記載の冷却媒体提供装置であって、
前記第１の冷却対象は、前記第２の冷却対象よりも稼働率が低い装置であって、
前記第１の電磁力が所定値未満の状態における前記第２の冷却対象への冷却媒体の提供量は、前記第１の電磁力が所定値以上の状態と比べて多く、
前記第１の電磁力に応じて、前記提供部材が変形し、あるいは、前記提供部材が移動することにより、前記第２の冷却対象への冷却媒体の提供量が前記第１の電磁力が所定値未満の状態と比べて減少する、
冷却媒体提供装置。
【請求項３】
請求項１または請求項２に記載の冷却媒体提供装置であって、
前記第２の冷却対象に関する電流に応じて第２の電磁力が変化する第２の電磁部を含み、
前記提供部材は、前記第１の電磁力および前記第２の電磁力に応じて、変形し、あるいは、移動する、
冷却媒体提供装置。
【請求項４】
請求項１〜３のいずれかに記載の冷却媒体提供装置であって、
前記冷却媒体提供部は、前記冷却媒体として空気を提供するためのファンを含み、
前記提供部材は、板状の部材であって、かつ、前記ファンからの前記空気の提供路に設けられ、前記第１の電磁力による吸引または反発によって変形することにより、前記空気の進行方向を変化させる、
冷却媒体提供装置。
【請求項５】
請求項１〜３のいずれかに記載の冷却媒体提供装置であって、
前記提供部材は、板状の部材であって、かつ、前記冷却媒体の提供路に設けられ、前記第１の電磁力による吸引または反発によってスライド移動することにより、前記冷却媒体の提供路の開閉を行う、
冷却媒体提供装置。
【請求項６】
請求項１〜３のいずれかに記載の冷却媒体提供装置であって、
前記提供部材は、内部に前記冷却媒体を収納して移動させることが可能な棒状の部材であって、かつ、前記冷却媒体の提供路に設けられ、前記第１の電磁力による吸引または反発によって長手軸の向きが変化することにより、前記冷却媒体の進行方向を変化させる、
冷却媒体提供装置。
【請求項７】
請求項１〜６のいずれかに記載の冷却媒体提供装置と、
前記第１の冷却対象と、
前記第２の冷却対象と、
を含むプロジェクター。
【請求項８】
請求項１〜６のいずれかに記載の冷却媒体提供装置と、
前記第１の冷却対象と、
前記第２の冷却対象と、
を含む電子機器。
【発明の詳細な説明】
【技術分野】
【０００１】
本発明は、冷却媒体提供装置、プロジェクターおよび電子機器に関する。
【背景技術】
【０００２】
プロジェクター等の電子機器の内部ではファン等を用いた冷却が行われている。冷却が必要なすべての箇所に対応してファン等を設けると、電子機器の大きさが大きくなってしまう上、製造費用も高くなってしまう。例えば、特開平５−３２２２９９号公報では、駆動用モーターの回転角度に応じて風向変更板を駆動させることにより、風向を変更する方式が提案されている。しかし、この方式では、駆動用モーターを用いる必要があるため、大きさや製造費用の問題を適切に解決することができない。また、特開２００４−２３３７９６号公報では、使用モードや筐体内部の温度に応じて、電磁力を用いて風導板によって開口状態を調整するプロジェクターが記載されている。
【先行技術文献】
【特許文献】
【０００３】
【特許文献１】特開平５−３２２２９９号公報
【特許文献２】特開２００４−２３３７９６号公報
【発明の概要】
【発明が解決しようとする課題】
【０００４】
しかし、特開２００４−２３３７９６号公報の手法は、筐体内部を全体的に冷却する手法であるため、冷却対象を変更したり、複数の冷却対象の発熱状態に応じて冷却したりすることはできない。
【０００５】
本発明にかかるいくつかの態様は、上記課題を解決することにより、より簡易な構成で所望の冷却対象への冷却媒体の提供量を変化させることが可能な冷却媒体提供装置、プロジェクターおよび電子機器を提供するものである。
【課題を解決するための手段】
【０００６】
本発明の態様の１つである冷却媒体提供装置は、第１の冷却対象に関する電流に応じて第１の電磁力が変化する第１の電磁部と、前記第１の電磁力に応じて、冷却媒体の提供部材が変形し、あるいは、前記提供部材が移動することにより、前記第１の冷却対象に対する前記冷却媒体の提供量と、第２の冷却対象に対する前記冷却媒体の提供量との割合を変化させる冷却媒体提供部と、を含むことを特徴とする。
【０００７】
また、本発明の態様の１つであるプロジェクターおよび電子機器は、前記冷却媒体提供装置と、前記第１の冷却対象と、前記第２の冷却対象と、を含むことを特徴とする。
【０００８】
本発明によれば、冷却媒体提供装置等は、電磁力に応じて提供部材が変形等することによって、第１の冷却対象に対する冷却媒体の提供量と、第２の冷却対象に対する冷却媒体の提供量との割合を変化させることができるため、より簡易な構成で所望の冷却対象への冷却媒体の提供量を変化させることができる。
【０００９】
また、前記第１の冷却対象は、前記第２の冷却対象よりも稼働率が低い装置であって、前記第１の電磁力が所定値未満の状態における前記第２の冷却対象への冷却媒体の提供量は、前記第１の電磁力が所定値以上の状態と比べて多く、前記第１の電磁力に応じて、前記提供部材が変形し、あるいは、前記提供部材が移動することにより、前記第２の冷却対象への冷却媒体の提供量が前記第１の電磁力が所定値未満の状態と比べて減少してもよい。これによれば、冷却媒体提供装置等は、通常は稼働率の高い第２の冷却対象に冷却媒体をより多く提供し、第１の冷却対象が稼働すると第１の冷却対象にも冷却媒体を提供することにより、第１の冷却対象の稼働状況に応じて冷却媒体を提供することができる。
【００１０】
また、前記冷却媒体提供装置は、前記第２の冷却対象に関する電流に応じて第２の電磁力が変化する第２の電磁部を含み、前記提供部材は、前記第１の電磁力および前記第２の電磁力に応じて、変形し、あるいは、移動してもよい。これによれば、冷却媒体提供装置等は、複数の装置の稼働状況に応じて、適切な装置に冷却媒体を提供することができる。
【００１１】
また、前記冷却媒体提供部は、前記冷却媒体として空気を提供するためのファンを含み、前記提供部材は、板状の部材であって、かつ、前記ファンからの前記空気の提供路に設けられ、前記第１の電磁力による吸引または反発によって変形することにより、前記空気の進行方向を変化させてもよい。これによれば、冷却媒体提供装置等は、空冷を行う際に簡易な構成で適切な冷却を行うことができる。
【００１２】
また、前記提供部材は、板状の部材であって、かつ、前記冷却媒体の提供路に設けられ、前記第１の電磁力による吸引または反発によってスライド移動することにより、前記冷却媒体の提供路の開閉を行ってもよい。これによれば、冷却媒体提供装置等は、冷却媒体の提供路の開閉を簡易に行うことができるため、水冷等を行う場合にも適切に対応することができる。
【００１３】
また、前記提供部材は、内部に前記冷却媒体を収納して移動させることが可能な棒状の部材であって、かつ、前記冷却媒体の提供路に設けられ、前記第１の電磁力による吸引または反発によって長手軸の向きが変化することにより、前記冷却媒体の進行方向を変化させてもよい。これによれば、冷却媒体提供装置等は、冷却対象範囲が狭い場合であっても所望の冷却対象を適切に冷却することができる。
【図面の簡単な説明】
【００１４】
【図１】第１の実施例におけるプロジェクターのハードウェアブロックを示す図である。
【図２】第１の実施例における電源ユニットと冷却媒体提供装置の関係を示す図である。
【図３】第２の実施例における電磁力が発生していない場合の提供部材の状態を示す図である。
【図４】第２の実施例における電磁力が発生している場合の提供部材の状態を示す図である。
【図５】第３の実施例における電源ユニットと冷却媒体提供装置の関係を示す図である。
【図６】第４の実施例における電源ユニットと冷却媒体提供装置の関係を示す図である。
【発明を実施するための形態】
【００１５】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例におけるプロジェクター１００のハードウェアブロックを示す図である。プロジェクター１００は、電源ユニット１１０と、ランプ１９２と、ランプ１９２を駆動するバラストユニット１４０と、ランプ１９２からの光が入射する照明光学系１９４と、照明光学系１９４からの光が入射する液晶ライトバルブ１９６と、液晶ライトバルブ１９６からの光をスクリーン１０に投射するレンズ１９８を含んで構成されている。また、プロジェクター１００は、液晶ライトバルブ１９６に形成される画像を生成する画像処理回路１６０と、音声処理回路１７０と、スピーカー１７４と、音声処理回路１７０からの音声を増幅してスピーカー１７４に出力するアンプ１７２と、電源ユニット１１０等を冷却する冷却ファン１５０と、バラストユニット１４０、冷却ファン１５０、画像処理回路１６０等を制御するＣＰＵ１３０と、電磁石１２１を含んで構成されている。なお、本実施例では、電源ユニット１１０に含まれる回路の一部が電磁石１２１に電気的に接続され、電磁石１２１に電流が流れることにより、冷却ファン１５０からの空気の流れが変化する。ここで、電源ユニット１１０と冷却媒体提供装置１８０の関係について説明する。
【００１７】
図２は、第１の実施例における電源ユニット１１０と冷却媒体提供装置１８０の関係を示す図である。プロジェクター１００の電源コード１１８は家庭用のコンセントに差し込まれ、電源ユニット１１０に含まれる第２の冷却対象であるＡＣ−ＤＣ変換回路１１２は、電源コード１１８からの電気を交流１００Ｖから直流１００Ｖに変換し、電源ユニット１１０に含まれる第１の冷却対象であるＤＣ−ＤＣ変換回路１１４は、ＡＣ−ＤＣ変換回路１１２からの直流１００Ｖを直流５Ｖに変換する。
【００１８】
ＤＣ−ＤＣ変換回路１１４からの直流５Ｖは、電磁石１２１を経由して音声処理回路１７０に送られる。すなわち、音声処理回路１７０は音声出力が行われない場合は動作しないため、ＡＣ−ＤＣ変換回路１１２のほうがＤＣ−ＤＣ変換回路１１４よりも稼働率が高い装置である。冷却ファン１５０からの空気は、提供路１８４によってＡＣ−ＤＣ変換回路１１２に提供され、提供路１８５によってＤＣ−ＤＣ変換回路１１４に提供される。提供路１８４の形状は、例えば、冷却ファン１５０側とＡＣ−ＤＣ変換回路１１２側が開口した円筒形状等である。また、提供路１８５の形状は、例えば、冷却ファン１５０側とＤＣ−ＤＣ変換回路１１４側が開口した円筒形状等である。
【００１９】
なお、提供路１８４における提供路１８５に接続する部分には、変形可能な薄い金属板の提供部材１２４が設けられ、冷却ファン１５０から提供路１８５への空気の流れを遮断している。また、電磁石１２１、提供部材１２４、冷却ファン１５０、提供路１８４、提供路１８５は、ＡＣ−ＤＣ変換回路１１２等に冷却媒体である空気を提供する冷却媒体提供装置１８０を構成している。さらに、電磁石１２１は、ＤＣ−ＤＣ変換回路１１４に関する電流に応じて第１の電磁力が変化する第１の電磁部として機能し、提供部材１２４、提供路１８４、１８５および冷却ファン１５０は、ＤＣ−ＤＣ変換回路１１４に対する冷却媒体の提供量と、ＡＣ−ＤＣ変換回路１１２に対する冷却媒体の提供量との割合を変化させる冷却媒体提供部として機能する。
【００２０】
提供部材１２４は、電磁石１２１に電流が流れて電磁力による引力が発生することにより、先端（空気の進行方向が基準）が電磁石１２１に吸引されることによって曲がり、冷却ファン１５０から提供路１８５への流路を開放する。すなわち、プロジェクター１００においては、通常は音声出力が行われないため、ＤＣ−ＤＣ変換回路１１４から音声処理回路１７０への電流は生じず、ＡＣ−ＤＣ変換回路１１２のみが冷却されている。音声出力が行われる場合、ＤＣ−ＤＣ変換回路１１４から音声処理回路１７０への電流が生じ、電磁石１２１が提供部材１２４を吸引することにより、冷却ファン１５０からの空気の一部が提供路１８５を経由してＤＣ−ＤＣ変換回路１１４に提供され、通常稼働するＡＣ−ＤＣ変換回路１１２だけでなく、音声処理時に稼働することによって温度が上昇するＤＣ−ＤＣ変換回路１１４も冷却される。
【００２１】
以上のように、本実施例によれば、プロジェクター１００は、電磁力に応じて提供部材１２４が変形することによって、ＤＣ−ＤＣ変換回路１１４に対する冷却媒体の提供量と、ＡＣ−ＤＣ変換回路１１２に対する冷却媒体の提供量との割合を変化させることができるため、より簡易な構成で所望の冷却対象への冷却媒体の提供量を変化させることができる。すなわち、本実施例では、ＤＣ−ＤＣ変換回路１１４の温度が上昇する場合であっても、プロジェクター１００は、ＤＣ−ＤＣ変換回路１１４に対する風量を増加させることができるため、ＤＣ−ＤＣ変換回路１１４を適切かつ効率的に冷却することができる。
【００２２】
また、本実施例によれば、プロジェクター１００は、風向を変えるために専用の電力や高価な部材を用いなくて済む上、簡易な構成であるため、省エネルギー化を図ることができ、製造費用を抑制することができ、故障しにくい上、風向変更用の動作音もモーター駆動等と比べて抑制することができる。
【００２３】
また、本実施例によれば、プロジェクター１００は、通常は稼働率の高いＡＣ−ＤＣ変換回路１１２に冷却媒体をより多く提供し、ＤＣ−ＤＣ変換回路１１４が稼働するとＤＣ−ＤＣ変換回路１１４にも冷却媒体を提供することにより、ＤＣ−ＤＣ変換回路１１４の稼働状況に応じて冷却媒体を提供することができる。さらに、本実施例によれば、プロジェクター１００は、空冷を行う際に簡易な構成で適切な冷却を行うことができる。
【００２４】
（第２の実施例）
第１の実施例では、板状の提供部材１２４が変形することによって冷却媒体の流路が変化したが、第２の実施例では、板状の提供部材がスライド移動することによって冷却媒体の流路が変化する例について説明する。
【００２５】
図３は、第２の実施例における電磁力が発生していない場合の提供部材１２５の状態を示す図である。また、図４は、第２の実施例における電磁力が発生している場合の提供部材１２５の状態を示す図である。図２に示すＤＣ−ＤＣ変換回路１１４への冷却媒体の提供路１８５に設けられる金属板状の提供部材１２５は、下半分に開口部が存在するが、上半分には開口部が存在していない。また、提供部材１２５の上方に電磁石１２１が位置しているものとする。なお、第２の実施例の構成は、これらの構成を除いて第１の実施例の構成と同様である。
【００２６】
図３に示すように、電磁石１２１に電磁力が発生していない（あるいは電磁力が所定値未満、以下の実施例も同様）場合の提供部材１２５は、重力によって下半分が提供路１８５よりも下に下がっており、上半分が提供路１８５と接することによって提供路１８５を遮断し、ＤＣ−ＤＣ変換回路１１４への空気の流れを遮断している。なお、上記所定値は、適用する部材等によって適宜変化する値である。一方、電磁石１２１に電磁力が発生している（あるいは電磁力が上記所定値以上、以下の実施例も同様）場合の提供部材１２５は、電磁力による引力が重力よりも大きくなることによって上半分が提供路１８５よりも上に上がり、開口した下半分が提供路１８５と接することによって提供路１８５を開放し、ＤＣ−ＤＣ変換回路１１４に空気を提供できるようになる。
【００２７】
以上のように、本実施例によっても、プロジェクター１００は、第１の実施例と同様の作用効果を奏する。また、本実施例によれば、プロジェクター１００は、重力と電磁力による引力を組み合わせることにより、簡易な構成で冷却媒体の流路を変化させることができる。
【００２８】
（第３の実施例）
上述した各実施例の提供部材１２４、１２５は、板状であったが、形状は任意であり、例えば、内部に前記冷却媒体を収納して移動させることが可能な棒状の部材等であってもよい。図５は、第３の実施例における電源ユニット１１０と冷却媒体提供装置１８１の関係を示す図である。電源ユニット１１０は、ＤＣ−ＤＣ変換回路１１４と同様のＤＣ−ＤＣ変換回路（第２の冷却対象）１１５を含んで構成されている。ＤＣ−ＤＣ変換回路１１５はＤＣ−ＤＣ変換回路１１４よりも稼働率が高く、優先的に冷却される。冷却媒体提供装置１８１は、電磁石１２１と、提供部材１２６と、冷却ファン１５１と、冷却ファン１５１と提供部材１２６とを接続する提供路１８６を含んで構成されている。なお、ＤＣ−ＤＣ変換回路１１４、１１５の出力電圧は任意である。
【００２９】
冷却ファン１５１からＤＣ−ＤＣ変換回路１１５への空気の提供路１８６の先端に、内部が空洞で棒状の金属製の提供部材１２６が設けられている。提供部材１２６は、空気の進行方向を基準として後端に回転軸部１２８が設けられ、電磁石１２１によって吸引されることにより、回転軸部１２８を回転軸として長手軸の向きが変わるように形成されている。
【００３０】
なお、提供部材１２６、回転軸部１２８、提供路１８６および冷却ファン１５１は、ＤＣ−ＤＣ変換回路１１４に対する冷却媒体の提供量と、ＤＣ−ＤＣ変換回路１１５に対する冷却媒体の提供量との割合を変化させる冷却媒体提供部として機能し、これらの各部と電磁石１２１は冷却媒体提供装置１８１として機能する。
【００３１】
図５に示すように、電磁石１２１に電磁力が発生していない場合の提供部材１２６は、提供部材１２６の長手軸がＤＣ−ＤＣ変換回路１１５に向いており、提供部材１２６の内部を通って空気がＤＣ−ＤＣ変換回路１１５に提供される。一方、電磁石１２１に電磁力が発生している場合の提供部材１２６は、電磁力による引力によって提供部材１２６が回転し、提供部材１２６の長手軸がＤＣ−ＤＣ変換回路１１４に向いており、提供部材１２６の内部を通って空気がＤＣ−ＤＣ変換回路１１４に提供される。
【００３２】
以上のように、本実施例によっても、プロジェクター１００は、上述した各実施例と同様の作用効果を奏する。特に、本実施例によれば、プロジェクター１００は、内部が空洞である棒状の提供部材１２６を用いることにより、冷却対象範囲が狭い場合であっても所望の冷却対象を適切に冷却することができる。さらに、本実施例によれば、プロジェクター１００は、複数の冷却対象を完全に切り替えながら所望の冷却対象を適切に冷却することができる。
【００３３】
（第４の実施例）
電磁石１２１の個数は１つに限定されず、２つ以上であってもよい。図６は、第４の実施例における電源ユニット１１０と冷却媒体提供装置１８２の関係を示す図である。冷却媒体提供装置１８２は、電磁石１２１、１２２と、提供部材１２７と、冷却ファン１５１と、提供路１８７を含んで構成されている。なお、提供部材１２７、回転軸部１２９、提供路１８７および冷却ファン１５１は、ＤＣ−ＤＣ変換回路１１４に対する冷却媒体の提供量と、ＤＣ−ＤＣ変換回路１１５に対する冷却媒体の提供量との割合を変化させる冷却媒体提供部として機能し、これらの各部と電磁石１２１、１２２は冷却媒体提供装置１８２として機能する。
【００３４】
ＤＣ−ＤＣ変換回路（第２の冷却対象）１１５に関する電流に応じて第２の電磁力が変化する第２の電磁部である電磁石１２２は、ＤＣ−ＤＣ変換回路１１５から３Ｄ画像処理回路１６２への電流の経路に設けられている。また、提供部材１２７は、板状の金属部材であり、提供部材１２７の中心にある回転軸部１２９を回転軸として回転可能に形成されている。また、提供路１８８は、ＤＣ−ＤＣ変換回路１１４、１１５に冷却ファン１５１からの空気を提供可能な形状である。さらに、提供部材１２７の先端（空気の流れを基準とする）側かつＤＣ−ＤＣ変換回路１１４側に電磁石１２１が設けられ、提供部材１２７の先端側かつＤＣ−ＤＣ変換回路１１５側に電磁石１２２が設けられている。
【００３５】
例えば、電磁石１２１、１２２に電流が流れていないか、あるいは、同じ電磁力であれば、提供部材１２７は回転せず、提供部材１２７の長手軸は冷却ファン１５１からの空気の進行方向と一致し、冷却ファン１５１からの空気はＤＣ−ＤＣ変換回路１１４、１１５に均等に提供される。
【００３６】
音声出力が行われ、３Ｄ画像表示が行われない場合、電磁石１２１の電磁力に応じた引力によって提供部材１２７が回転する。これにより、提供部材１２７の先端が電磁石１２１に近付き、提供部材１２７の後端がＤＣ−ＤＣ変換回路１１５への流路を塞ぐように移動する。したがって、この場合、ＤＣ−ＤＣ変換回路１１４への風量が増加し、ＤＣ−ＤＣ変換回路１１５への風量が減少する。
【００３７】
一方、３Ｄ画像表示が行われ、音声出力が行われない場合、電磁石１２２の電磁力に応じた引力によって提供部材１２７が回転する。これにより、提供部材１２７の先端が電磁石１２２に近付き、提供部材１２７の後端がＤＣ−ＤＣ変換回路１１４への流路を塞ぐように移動する。したがって、この場合、ＤＣ−ＤＣ変換回路１１５への風量が増加し、ＤＣ−ＤＣ変換回路１１４への風量が減少する。
【００３８】
以上のように、本実施例によっても、プロジェクター１００は、第３の実施例と同様に、複数の装置の稼働状況に応じて、適切な装置に冷却媒体を提供することができる。
【００３９】
（その他の実施例）
なお、本発明の適用は上述した実施例に限定されず、変形が可能である。例えば、上述した各実施例の構成は適宜組み合わせることが可能である。例えば、第４の実施例において、提供部材１２７に代え、第１の実施例の提供部材１２４を適用してもよい。また、冷却媒体提供装置１８０〜１８２の構成は、上述した各実施例の構成に限定されない。例えば、提供路１８４〜１８７がない状態でも、冷却ファン１５０、１５１は、提供部材１２４〜１２７によって風向を変えることが可能である。
【００４０】
また、上述した各実施例における提供部材１２４〜１２７は、電磁石１２１、１２２によって発生される電磁力による吸引によって変形したり、移動したりしたが、電磁力による反発によって変形したり、移動したりしてもよい。具体的には、例えば、図６において、電磁石１２１を提供部材１２７の後端付近に移動させ、電磁石１２１に電流が流れることによる電磁力（斥力）で提供部材１２７の長手軸をＤＣ−ＤＣ変換回路１１４に向けることにより、ＤＣ−ＤＣ変換回路１１４に対する冷却媒体の提供量を増加させることが可能である。また、提供部材は、金属製に限定されず、電荷を帯びた様々な素材を適用可能である。さらに、提供部材１２４〜１２７に電磁力が作用する部分に当該電磁力を強化するために永久磁石が設けられてもよい。
【００４１】
また、第２の実施例は、提供部材１２５が垂直方向に移動する例であるが、提供部材１２５の移動方向は垂直方向に限定されない。例えば、提供部材１２５は、通常状態では巻きバネ等によって一方に引っ張られた状態で、電磁石１２１による引力によって逆方向に引っ張られることにより、水平方向等にも移動可能である。また、上述した各実施例における冷却対象は２つであるが、冷却対象は３つ以上であってもよい。例えば、図６において、ＤＣ−ＤＣ変換回路１１４とＤＣ−ＤＣ変換回路１１５の間にＡＣ−ＤＣ変換回路１１２を配置すれば、プロジェクター１００は、ＡＣ−ＤＣ変換回路１１２、ＤＣ−ＤＣ変換回路１１４、１１５の３つの冷却対象に対する冷却媒体の提供割合を変化させながら冷却することが可能である。
【００４２】
また、上述した各実施例における冷却対象はＤＣ−ＤＣ変換回路１１４等に限定されず、例えば、ＣＰＵ１３０、無線ＬＡＮ用の通信回路、光路、光源等の電源ユニット１１０以外の回路等であってもよい。また、各実施例における冷却媒体は、空気に限定されず、空気以外の水素等の気体であってもよいし、水、液体窒素等の液体であってもよい。また、各実施例における冷却媒体提供装置を実装可能な装置はプロジェクターに限定されず、例えば、ＰＣ（Personal Computer）等の電子機器であってもよい。すなわち、空冷方式ではなく、水冷方式のプロジェクターや電子機器にも本発明を適用可能である。より具体的には、例えば、水冷式のＰＣは、上述した各実施例の構成を水冷用の提供路に適用することにより、通常はＣＰＵに対して冷却用の水を提供し、音声を出力する場合のみ音声処理回路に対しても当該冷却用の水の一部を提供するといったことが可能である。
【００４３】
また、上述した各実施例において、第１の冷却対象に関する電流および第２の冷却対象に関する電流は、冷却対象である装置に電気的に接続された経路における電流に限定されない。すなわち、電流を発生する装置と、冷却対象は一致していなくてもよい。例えば、図６において、冷却ファン１５１は、３Ｄ画像処理回路１６２に接続されたＤＣ−ＤＣ変換回路１１５からの電流による電磁力に応じて、３Ｄ画像処理回路１６２を冷却してもよい。さらに、第１の冷却対象に関する電流および第２の冷却対象に関する電流は、上述した各実施例のような直接的な電流に限定されず、例えば、光電変換された電流等であってもよい。すなわち、プロジェクター１００における光路の光を、太陽電池等の仕組みを用いて電流に変換し、当該電流に応じて電磁石１２１等の電磁力を変化させることにより、当該光路に対する冷却媒体の提供量を変化させてもよい。
【００４４】
また、上述した各実施例において、ＤＣ−ＤＣ変換回路１１４等の付近にサーミスター等の温度測定部を設け、ＣＰＵ１３０等の制御部が、当該温度測定部による温度に応じて冷却ファン１５０等の風量を調整してもよい。例えば、第１の実施例において、当該制御部は、ＤＣ−ＤＣ変換回路１１４の付近に設けられたサーミスターの値（温度）が上昇すれば、冷却ファン１５０の回転数を上げることによって風量を増加させることにより、ＤＣ−ＤＣ変換回路１１４に送風する割合が増える場合であっても、ＡＣ−ＤＣ変換回路１１２にも冷却に十分な送風を行うことができる。また、当該制御部は、電磁石１２１等の電磁力、電磁石１２１等の設けられた経路における電流、提供部材１２７等の回転角度等に応じて冷却ファン１５０等の風量を調整してもよい。具体的には、例えば、第４の実施例において、当該制御部は、提供部材１２７が所定角度以上回転した場合にはほとんど回転していない場合と比べて冷却ファン１５１の回転速度を低下させることによって風量を減少させてもよい。
【符号の説明】
【００４５】
１０  スクリーン、１００  プロジェクター、１１０  電源ユニット、１１２  ＡＣ−ＤＣ変換回路（第２の冷却対象）、１１４  ＤＣ−ＤＣ変換回路（第１の冷却対象）、１１５  ＤＣ−ＤＣ変換回路（第２の冷却対象）、１１８  電源コード、１２１  電磁石（第１の電磁部）、１２２  電磁石（第２の電磁部）、１２４〜１２７  提供部材（冷却媒体提供部）、１２８、１２９  回転軸部（冷却媒体提供部）、１３０  ＣＰＵ、１４０  バラストユニット、１５０、１５１  冷却ファン（冷却媒体提供部）、１６０  画像処理回路、１６２  ３Ｄ画像処理回路、１７０  音声処理回路、１７２  アンプ、１７４  スピーカー、１８０〜１８２  冷却媒体提供装置、１８４〜１８７  提供路（冷却媒体提供部）、１９２  ランプ、１９４  照明光学系、１９６  液晶ライトバルブ、１９８  レンズ
【図１】
2013114126.tif 000003
【図２】
2013114126.tif 000004
【図３】
2013114126.tif 000005
【図４】
2013114126.tif 000006
【図５】
2013114126.tif 000007
【図６】
2013114126.tif 000008